(57)【特許請求の範囲】
【請求項１】
扉の板厚内に錠ケースを収納し、扉の室外側にシリンダー本体と扉の室内側にサムターンを配置し、前記シリンダー本体とサムターンの間に、このシリンダー本体とサムターンを作動させるテールピースとテールプレートを設け、前記テールプレートと錠ケースに設けられているラッチボルトを連動し、前記シリンダー本体のキーによる回動操作及びサムターンの回動操作によって、錠ケースのラッチボルトの施錠と解錠を行うようにしたシリンダー錠において、
前記シリンダー錠の扉に対する取り付け組み付け時に、扉の左右開き勝手の違いに対して対応できるよう、前記シリンダー本体に対してテールピースを別体構造とし、このテールピースを扉に対して取り付ける際の、左右開き勝手の違う扉に対応する配置となるよう、前記テールピースに、右開き扉に取り付ける場合の戸先側に向ける方向を指示する表示部と、左開き扉に取り付ける場合の戸先側に向ける方向を指示する表示部を設けたことを特徴とするシリンダー錠。
【請求項２】
上記テールピースは、シリンダー本体におけるシリンダーの円軸状端部に外嵌するよう、円形端壁の周囲に筒壁とこの筒壁の外周にフランジを周設して形成され、前記筒壁の内周にシリンダーと回転方向に係合する係合片を設け、前記円形端壁にテールプレートを挿通する二つの係合孔を直角の配置で形成し、前記フランジの表面に上記表示部を、二つの係合孔の開口部長さ方向の位置に合わせた配置で設けたことを特徴とする請求項１に記載のシリンダー錠。
【請求項３】
上記表示部が矢印の刻印によって形成され、両矢印が相反する向きの配置になっている請求項１又は２に記載のシリンダー錠。
【発明の詳細な説明】
【技術分野】
【０００１】
この発明は、開閉可能な扉を閉鎖位置において施錠することができるシリンダー錠、更に詳しくは、取り付けんとする扉の左右勝手の違いに対応して、左右勝手を容易に切り換えることができる内装用シリンダー錠に関する。
【背景技術】
【０００２】
扉の施錠を行うための周知の内装用シリンダー錠は、扉の板厚内に錠ケースを収納し、この錠ケースに扉の戸先側端面から出没するラッチボルトを設け、前記扉の室外側にシリンダー本体と扉の室内側にサムターンを配置して互いに結合し、前記シリンダー本体にシリンダーと一体に回動するよう設けたテールピースとサムターンの撮みをテールプレートで結合し、このテールプレートを錠ケース内のシリンダーカムと回転方向に連動させ、前記シリンダー本体におけるシリンダーのキーによる回動操作及びサムターンにおける摘みの回動操作によって、前記シリンダーカムを回動させることで、錠ケースのラッチボルトの施錠と解錠を行うようになっている。
【０００３】
このようなシリンダー錠は、一般的に施解錠の際にシリンダーカムが戸尻側へ９０°回転する構造になっており、そのため、シリンダー本体側においては、キーの抜き差し位置やサムターンの空転作動を想定した構造を採用しており、このため、シリンダー錠に左右勝手が発生する。
【０００４】
即ち、シリンダー本体の構造として、ディスクシリンダーはキーの抜け位置が２箇所となるが、１８０°回転位置でキーが抜けてしまうと、サムターンが回転できなくなる誤作動が発生するためである。
【０００５】
また、サムターンの空転構造を設けないと、キーを差込んだ状態でないとサムターンの回転ができなくなるからである。
【発明の概要】
【発明が解決しようとする課題】
【０００６】
上述したように、従来の内装用シリンダー錠においては、シリンダー本体に対してテールピースを固定一体化した構造に成っているため、扉の左右勝手に対する方向性が発生し、右勝手用と左勝手用を製作しなければならないという不便がある。
【０００７】
そこで、この発明の課題は、シリンダー本体に対してテールピースを別体構造とし、扉に対する取り付けの際にテールピースの組み込み方向を選ぶことにより、左右勝手を容易に切り換えることができるシリンダー錠を提供することにある。
【課題を解決するための手段】
【０００８】
上記のような課題を解決するため、この発明は、扉の板厚内に錠ケースを収納し、扉の室外側にシリンダー本体と扉の室内側にサムターンを配置し、前記シリンダー本体とサムターンの間に、このシリンダー本体とサムターンを作動させるテールピースとテールプレートを設け、前記テールプレートと錠ケースに設けられているラッチボルトを連動し、前記シリンダー本体のキーによる回動操作及びサムターンの回動操作によって、錠ケースのラッチボルトの施錠と解錠を行うようにしたシリンダー錠において、前記シリンダー錠の扉に対する取り付け組み付け時に、扉の左右開き勝手の違いに対して対応できるよう、前記シリンダー本体に対してテールピースを別体構造とし、このテールピースを扉に対して取り付ける際の、左右開き勝手の違う扉に対応する配置となるよう、前記テールピースに、右開き扉に取り付ける場合の戸先側に向ける方向を指示する表示部と、左開き扉に取り付ける場合の戸先側に向ける方向を指示する表示部を設けたものである。
【０００９】
上記テールピースは、シリンダー本体におけるシリンダーの円軸状端部に外嵌するよう、円形端壁の周囲に筒壁とこの筒壁の外周にフランジを周設して形成され、前記筒壁の内周にシリンダーと回転方向に係合する係合片を設け、前記円形端壁にテールプレートを挿通する二つの係合孔を直角の配置で形成し、前記フランジの表面に上記表示部を、二つの係合孔の開口部長さ方向の位置に合わせた配置で設けた構造とすることができる。
【００１０】
また、上記表示部が矢印の刻印によって形成され、両矢印が相反する向きの配置になっているようにしてもよい。
【００１１】
ここで、上記シリンダー本体におけるシリンダーの円軸状端部で軸心を挟む両側に一対のトルク伝達突起を設け、このシリンダーに外嵌するテールピースの筒壁に設けた一対の係合片がトルク伝達突起間に収まり、テールピースは回転方向に遊びを持ってシリンダーの左右１８０°の回転で左右９０°だけ回転し、これをテールプレートに伝達するようになっている。
【００１２】
このテールピースは、扉に設けた円形の取り付け孔に回転可能に挿入し、係合孔に挿通したテールプレートで、錠ケース内のシリンダーカムと一体に回転するよう結合するが、取り付け孔にテールピースを挿入する際テールピースを回転方向に回し、下側に位置させた表示部の矢印が戸先側に向くようにして挿入し、この状態で一つの垂直状となった係合孔にテールプレートを縦向きにして差込み、テールプレートの端部に設けた広幅頭部が底付の係合孔に収まることで、テールピースとテールプレートは回転方向に結合され、前記テールピースは、扉に取付けたシリンダー本体で覆われることになる。
【００１３】
このように、テールピースの扉への取り付けに際して、矢印が戸先側に向くよう取り付け、一つの垂直状となった係合孔にテールプレートを挿通するようにすれば、扉の左右勝手に対して９０°の組み込み方向の変更で対応することができ、左右勝手を容易に切り換えることができる。
【発明の効果】
【００１４】
この発明によると、扉の板厚内に錠ケースを収納し、扉の室外側にシリンダー本体と扉の室内側にサムターンを配置し、前記シリンダー本体のキーによる回動操作及びサムターンの回動操作によって、錠ケースのラッチボルトの施錠と開錠を行うようにしたシリンダー錠において、前記シリンダー本体に対してテールピースを別体構造とし、このテールピースに、左右勝手が異なる扉への取付けの際に、戸先側に向ける方向を指示する表示部を設けたので、扉への取り付けの際にテールピースの組み込み方向を表示部の指示に従って選ぶことにより、シリンダー錠の左右勝手を容易に切り換えることができ、扉の左右勝手の違いに対応することができる。
【図面の簡単な説明】
【００１５】
【図１】この発明に係るシリンダー錠の右勝手扉への取り付け状態を示す室外側から見た一部切り欠き正面図
【図２】この発明に係るシリンダー錠の要部を拡大した横断平面図
【図３】この発明に係るシリンダー錠をフロントプレート側から見た要部切り欠き側面図
【図４】（ａ）はこの発明に係るシリンダー錠のシリンダー本体とテールピースの関係を拡大した図３の矢印ａ−ａでの縦断正面図、（ｂ）はテールピースとテールプレートの関係を示す拡大した図３の矢印ｂ−ｂでの縦断正面図
【図５】この発明のシリンダー錠の扉への取り付け状態を示す要部を分解した斜視図
【図６】（ａ）はテールピースの一部を切り欠いた斜視図、（ｂ）は左勝手の扉に対するテールピースの組み込み状態を示す正面図
【図７】この発明のシリンダー錠における錠ケースの内部構造を示す解錠時の状態を示す正面図
【図８】この発明のシリンダー錠における錠ケースの内部構造を示す施錠時の状態を示す正面図
【発明を実施するための形態】
【００１６】
以下、この発明の実施の形態を添付図面に基づいて説明する。
【００１７】
図１乃至図５に示すように、この発明の内装用シリンダー錠１は、扉ａの板厚に設けた収納孔ｂ内に収めて組み込む錠ケース２と、扉ａの室外側に取り付けられるシリンダー本体３と、扉ａの室内側に取り付けられるサムターン４と、扉ａの室外側でシリンダー本体３との間に配置され、シリンダー本体３の回転と連動するテールピース５と、このテールピース５と錠ケース２内の後述するシリンダーカム及びサムターン４を回転方向に結合するテールプレート６で形成されている。
【００１８】
図７と図８のように、上記錠ケース２は、ケース２ａのフロントプレート７をラッチボルト８が出没自在に貫通し、このラッチボルト８の後端と図示省略した扉ノブによって揺動するカム９の上端が、カム９の戸尻側への傾斜動によってラッチボルト８を引き込むように結合し、スプリング１０でラッチボルト８に常時突出する方向の弾性を付勢している。
【００１９】
上記カム９は、ケース２ａとの間に設けたスプリング１１によって、ラッチボルト８を常時突出する位相になる方向に押圧する復帰弾性を付勢され、また、ラッチボルト８はフロントプレート７のガイド１２で支持されているが、このラッチボルト８はケース２ａで回転可能に支持され、フロントプレート７をケース２ａにセットしてガイド１２を前記ラッチボルト８に嵌める前に、扉の左右勝手に合わせて向きを変えることができるようになっている。
【００２０】
上記ケース２ａ内の上部で後方寄りの位置にシリンダーカム１３が回転可能に設けられ、このシリンダーカム１３は、上記したテールプレート６が貫通する長孔状の角孔１４が設けられ、前記シリンダーカム１３に突設した第１のアーム１５にロックストッパー１６の上端がピン１７で結合され、ロックストッパー１６は、その下端がケース２ａに設けた垂直の長孔１８とこれに嵌るピン１９によって上下動が誘導され、シリンダーカム１３が図７のように、角孔１４が垂直にある解錠位相のとき、ロックストッパー１６は上昇位置に引上げられ、その下端がラッチボルト８の後端よりも上昇位置にあり、ラッチボルト８の没入後退を可能にしている。
【００２１】
上記シリンダーカム１３が、上記解錠位相から戸先側に９０°回転した施錠位相になると、ロックストッパー１６が下降し、図８のように、ロックストッパー１６の下端がラッチボルト８の後端位置に下降し、突出するラッチボルト８の後退動を不能にして施錠状態をロックすることになる。
【００２２】
上記シリンダーカム１３は、第２のアーム２０に設けたピン２１とケース２ａ内に固定したピン２２がスプリング２３で結合され、ラッチボルト８の解錠位相と施錠位相の何れかを弾力的に保持するようになっており、テールプレート６によって戸先側へ９０°の範囲で回転が付与されることになる。
【００２３】
上記シリンダー本体３は、図１乃至図３のように、外筒２４の内部にシリンダー２５を前面からキー孔２６にキー２７の抜き差しができるように取り付け、この外筒２４の後部側から複数の螺筒２８が突出した構造を有し、シリンダー２５は１８０°回転できその回転の中間位置でキー２７の抜き差しが可能となり、錠ケース２への取り付け時、回転方向の右側終端が施錠位置となり、また、回転方向の左側終端が解錠位置となるよう形成され、図４（ａ）と図５のように、前記シリンダー２５はその後端が円軸状端部２９となり、その端部外周面で軸心を挟む両側に一対のトルク伝達突起３０が設けられている。
【００２４】
上記テールピース５は、図４乃至図６に示すように、シリンダー本体３と別体の独立した部材であり、上記シリンダー２５の円軸状端部２９に外嵌するよう、円形端壁５ａの周囲に筒壁５ｂとこの筒壁５ｂの外周に略半円状となるフランジ５ｃを設けて形成され、前記筒壁５ｂの内周にシリンダー２５と回転方向に係合する一対の係合片３１が設けられ、前記円形端壁５ａにテールプレート６を挿通する二つの係合孔３２が直角の配置で形成されている。
【００２５】
このテールピース５は、図４と図５のように、扉ａに設けた取り付け孔３３に回転可能となるよう差込み、このテールピース５をシリンダー本体３で覆うと、一対の係合片３１がシリンダー２５に設けた一対のトルク伝達突起３０間に収まり、シリンダー２５の左右の１８０°の回転で遊び角度をもって左右に９０°だけ回転し、この回転をテールプレート６に伝達するようになる。
【００２６】
図６（ａ）に示すように、このテールピース５のフランジ５ｃにおける表面に、テールピース５を扉ａに対して取り付ける際の、左右開き勝手の違う扉に対応する配置となるよう、右開き扉に取り付ける場合の戸先側に向ける方向を指示する表示部３４と、左開き扉に取り付ける場合の戸先側に向ける方向を指示する表示部３５が設けられ、両表示部３４と３５は矢印の刻印によって形成されている。
【００２７】
上記テールピース５の円形端壁５ａにテールプレート６を挿通する長孔状の二つの係合孔３２が直角の配置で交差するように形成され、各係合孔３２の両端に底部３２ａが設けられ、この係合孔３２に挿通するテールプレート６は、横長の金属板で形成され、一方端部に広幅の頭部６ａが設けられ、係合孔３２に挿通したとき、頭部６ａが底部３２ａに当接して係合孔３２に収まることで、長さ方向への一方の抜け止めとなり、テールピース５とテールプレート６は回転方向に結合されることになる。
【００２８】
上記テールピース５のフランジ５ｃに設けた表示部３４、３５の矢印は、二つの係合孔３２の開口部長さ方向の端部位置に合わせた９０°の配置で設けられ、矢印は相反する方向に向く配置になっている。
【００２９】
上記テールプレート６は、図２と図３のように、テールピース５と結合した状態で、錠ケース２内に位置するシリンダーカム１３の角孔１４を貫通し、サムターン４の撮み４ａに設けた角形孔４ｂ内に嵌合し、シリンダー２５又は撮み４ａの回転がシリンダーカム１３に伝達されるようになる。
【００３０】
このサムターン４は、図５のように、シリンダー本体３との締結用ボルト３６の挿通筒３７が設けられ、外面をカバー４ｃによって覆われるようになっている。
【００３１】
この発明のシリンダー錠１は、上記のような構成であり、図５のように、扉ａの板厚に戸先面で開口する収納孔ｂと、室外側にテールピース５の取り付けと締結用ボルト３６の挿通を行う取り付け孔３３と、扉ノブの取付け孔３８を、また、室内側には、図２のように、サムターン４の取り付けと締結用ボルト３６の挿通を行う取り付け孔３９及び扉ノブの取り付け孔を設け、前記収納孔ｂに錠ケース２を納め、フロントプレート７で固定化する。このとき、錠ケース２のラッチボルト８は、扉の左右勝手に合わせて閉扉方向の向きを設定しておく。
【００３２】
この状態で、室外側の取り付け孔３３にテールピース５を組み込みんで一つの係合孔３２が垂直となる姿勢にし、テールプレート６を縦向きにしてテールピース５の垂直となる係合孔３２からシリンダーカム１３の角孔１４に挿通し、前記テールピース５にシリンダー本体３を被せ、扉ａの室内側にサムターン４を重ね、撮み４ａをテールプレート６と結合した状態で締結用ボルト３６を挿通し、シリンダー本体３とサムターン４を仮固定する。
【００３３】
次に、サムターン４の撮み４ａを回して正常に作動することを確認した上で本固定し、サムターン４にカバー４ｃを取り付けて取り付けを完了する。
【００３４】
図１乃至図５は、右勝手の扉に対するシリンダー錠１の取り付け状態を示し、シリンダー２５のキー孔２６にキー２７を差し込まない解錠状態では、図７のように、テールプレート６とシリンダーカム１３の角孔１４は縦向きとなってロックストッパー１６が上昇位置に引上げ保持され、扉ノブの回動操作によるカム９の戸尻側への揺動でラッチボルト８の没入が可能となり、開扉ができることになる。
【００３５】
また、シリンダー２５をキー孔２６にキー２７を差し込んで施錠位置に回した場合、テールピース５とテールプレート６及びサムターン４の撮み４ａが一体に回転することで、シリンダーカム１３は図７から時計方向に９０°回転した図８の位置にスプリング２３で保持され、ロックストッパー１６が下降してラッチボルト８の後端に臨み、ラッチボルト８を没入できないようにすることで施錠状態となる。
【００３６】
ここで、扉ａに対するシリンダー錠１の取付けにおいて、扉ａには開閉方向が右勝手と左勝手があり、このため、錠ケース２の取付けにおいてはラッチボルト８の向きを扉ａの左右勝手に合わせて調整する。
【００３７】
また、上記テールピース５の取り付け孔３３への組み込み時において、フランジ５ｃに施した表示部３４、３５の一つ矢印がこのテールピース５の下部に位置するとき、その下部に位置する表示部３４又は３５の矢印の向きが戸先側に向くように、テールピース５を回転させて回転方向の位置を調整し、この下部に位置する表示部３４又は３５の矢印と対応する係合孔３２を垂直にし、垂直となった係合孔３２からシリンダーカム１３の角孔１４にテールプレート６を挿通して、テールピース５とシリンダーカム１３を回転方向に結合する。
【００３８】
図１乃至図５は、右勝手の扉に対するシリンダー錠１の取り付け状態を示し、テールピース５の下部に位置する表示部３４が戸先側に向く位相となり、また、図６（ｂ）は左勝手の扉に対するシリンダー錠１の取り付け状態を示し、テールピース５の下部に位置する表示部３５が戸先側に向く位相となる。
【００３９】
このように、テールピース５をシリンダー本体３と別体構造とし、テールピース５の取り付けの際、扉ａの左右勝手に合わせて組み込み方向を調整することにより、シリンダー錠１の左右勝手を容易に切り換えることができる。
【符号の説明】
【００４０】
１          シリンダー錠
２          錠ケース
３          シリンダー本体
４          サムターン
５          テールピース
６          テールプレート
７          フロントプレート
８          ラッチボルト
９          カム
１０        スプリング
１１        スプリング
１２        ガイド
１３        シリンダーカム
１４        角孔
１５        第１のアーム
１６        ロックストッパー
１７        ピン
１８        長孔
１９        ピン
２０        第２のアーム
２１        ピン
２２        ピン
２３        スプリング
２４        外筒
２５        シリンダー
２６        キー孔
２７        キー
２８        螺筒
２９        円軸状端部
３０        トルク伝達突起
３１        係合片
３２        係合孔
３３        取り付け孔
３４        表示部
３５        表示部
３６        締結用ボルト
３７        挿通筒
【図１】
0005723210.tif 000002
【図２】
0005723210.tif 000003
【図３】
0005723210.tif 000004
【図４】
0005723210.tif 000005
【図５】
0005723210.tif 000006
【図６】
0005723210.tif 000007
【図７】
0005723210.tif 000008
【図８】
0005723210.tif 000009